(57)【要約】【課題】土工事（土木・建築・造園・設備等）等の作業現場において位置・高さなどを確認又は計測する作業の時に、その都度、物差し・箱尺等の計測道具を出して測るのは手間が掛かりすぎる。【解決手段】手道具Ａの柄部分に装着する長手方向に目盛１３を付した長尺被覆具であって、上下端部に開口部１２、１１を有することにより手道具の柄部分に後から被せることができ、かつ、全面が不透明のポリ塩化ビニルからなる長尺基材１０を採択することにより手道具の柄部分に容易に固着することができる装着が容易な長尺被覆具１を提供する。【選択図】図４
2014070448.tif 000002
【特許請求の範囲】
【請求項１】
手道具の柄部分に被せる上端及び下端が開口した軟質の長尺基材からなる長尺被覆具であって、
前記長尺基材の長手方向に付した目盛と、
前記長尺基材と前記手道具の柄部分とを固着する固着手段と、
を備えた長尺被覆具。
【請求項２】
前記長尺基材の下端開口部の内径が、前記手道具の柄部分の外径よりも僅かに大きい請求項１に記載の長尺被覆具。
【請求項３】
前記固着手段が、前記長尺基材が備える収縮特性である請求項１又は請求項２に記載の長尺被覆具。
【請求項４】
前記長尺基材が、水の通過を防止する特性又は太陽光の透過を防止する特性を有している請求項１から請求項３いずれかに記載の長尺被覆具。
【請求項５】
前記長尺基材が、全面が不透明のポリ塩化ビニルである請求項１から請求項４いずれかに記載の長尺被覆具。
【請求項６】
前記長尺基材の長手方向の長さが、前記手道具の柄部分の全長よりも短い請求項１から請求項５いずれかに記載の長尺被覆具。
【請求項７】
前記長尺基材に前記手道具の柄部分と一時的に固着する仮固定手段を付加した請求項１から請求項６いずれかに記載の長尺被覆具。
【発明の詳細な説明】
【技術分野】
【０００１】
本願発明は、目盛を付した長尺被覆具に関するものである。
【背景技術】
【０００２】
土工事（土木・建築・造園・設備等）の作業土工における基面整正（床付け）は物差し・箱尺等（以下、計測道具という）を使用してきた。また、位置・高さを確認する時に、その都度、手に握っている道具（以下、手道具という。）を置いて、計測道具を出して測っていた。
【０００３】
作業員の中には、レーキ等の手道具の柄部分に手書きのマーキングをし、又はビニルテープなどの目印を貼付し、簡易的な計測道具として使用している者も見かける。なお、目盛付きの道具柄（特許文献１）及び目盛り付きスコップ（特許文献２）に関する先行技術文献は存在する。
【先行技術文献】
【特許文献】
【０００４】
【特許文献１】特開平９−２９６４７３号公報
【特許文献２】特開平５−１８０６０２号公報
【発明の概要】
【発明が解決しようとする課題】
【０００５】
上述のとおり、土工事（土木・建築・造園・設備等）の作業土工における基面整正（床付け）は、計測道具を使用してきたが、位置・高さを確認する時に、その都度、手道具を置いて、計測道具を出して測るのは手間が掛かりすぎる。
【０００６】
また、レーキ等の手道具の柄部分に手書きのマーキングをし、又はビニルテープなどの目印を貼付して簡易的な計測道具として使用する方法は便利であるが、計測に必要な位置・高さが変わる度に、以前の手書きマーキング又は目印貼付を消去又は剥離することなく新たなマーキング等をすると手道具の柄部分には数多くのマーキング跡等が混在して残り、読み違い・見間違い等が生じ得る。
【０００７】
また、手道具の柄部分に直接目盛を付する方法は、後から容易に付すことが難しく、また目盛を付すための加工費が高価になりがちである。
【０００８】
そこで、土工事（土木・建築・造園・設備等）の作業土工における基面整正（床付け）時に、その都度、計測道具を出す必要がなく、また、手道具に手書きのマーキング等をその都度する必要がなくなり、後から容易に付すことができ、目盛を付すための加工費が安価である長尺被覆具を提供することを課題とする。
【課題を解決するための手段】
【０００９】
本願発明の長尺被覆具は、上記の課題を解決するために、手道具の柄部分に被せる上端及び下端が開口した軟質の長尺基材からなる長尺被覆具であって、前記長尺基材の長手方向に付した目盛と、前記長尺基材と手道具の柄部分とを固着する固着手段と、を備えた長尺被覆具を提供する。
【００１０】
また、本願発明の長尺被覆具は、上記の課題を解決するために、手道具の柄部分に被せる上端及び下端が開口した軟質の長尺基材からなる長尺被覆具であって、前記長尺基材の長手方向に付した目盛と、前記長尺基材と手道具の柄部分とを固着する固着手段と、を備え、前記長尺基材の下端開口部の内径が、手道具の柄部分の外径よりも僅かに大きい長尺被覆具を提供する。
【００１１】
また、本願発明の長尺被覆具は、上記の課題を解決するために、手道具の柄部分に被せる上端及び下端が開口した軟質の長尺基材からなる長尺被覆具であって、前記長尺基材の長手方向に付した目盛と、前記長尺基材と手道具の柄部分とを固着する固着手段と、を備え、前記固着手段が、前記長尺基材が備える収縮特性（一定以上の温度で所定以上の時間温めることにより熱収縮する特性など）である長尺被覆具を提供する。
【００１２】
また、本願発明の長尺被覆具は、上記の課題を解決するために、手道具の柄部分に被せる上端及び下端が開口した軟質の長尺基材からなる長尺被覆具であって、前記長尺基材の長手方向に付した目盛と、前記長尺基材と手道具の柄部分とを固着する固着手段と、を備え、前記長尺基材が、水の通過を防止する特性又は太陽光の透過を防止する特性を有している長尺被覆具を提供する。
【００１３】
また、本願発明の長尺被覆具は、上記の課題を解決するために、手道具の柄部分に被せる上端及び下端が開口した全面が不透明のポリ塩化ビニルである長尺基材からなる長尺被覆具であって、前記長尺基材の長手方向に沿って付した目盛と、前記長尺基材と手道具の柄部分とを固着する固着手段と、を備えた長尺被覆具を提供する。
【００１４】
また、本願発明の長尺被覆具は、上記の課題を解決するために、手道具の柄部分に被せる上端及び下端が開口した軟質の長尺基材からなる長尺被覆具であって、前記長尺基材の長手方向に沿って付した目盛と、前記長尺基材と手道具の柄部分とを固着する固着手段と、を備え、前記長尺基材の長手方向の長さが、手道具の柄部分の全長よりも短い長尺被覆具を提供する。
【００１５】
また、本願発明の長尺被覆具は、上記の課題を解決するために、手道具の柄部分に被せる上端及び下端が開口した軟質の長尺基材からなる長尺被覆具であって、前記長尺基材の長手方向に沿って付した目盛と、前記長尺基材と手道具の柄部分とを固着する固着手段と、を備え、前記長尺基材に手道具の柄部分と一時的に固着する仮固定手段を付加した長尺被覆具を提供する。
【発明の効果】
【００１６】
本願発明の長尺被覆具は、手道具の柄部分に装着するだけで、位置・高さ・長さ等の測定又は確認ができるようになる。したがって、土工事（土木・建築・造園・設備等）の作業土工における基面整正（床付け）時に、その都度、計測道具を出す手間を省き（必要がなく）、また、手道具に手書きのマーキング等をその都度する必要もなくなるので読み違い、見間違いもなくなる。
【００１７】
本願発明の長尺被覆具は、手道具の柄部分に目盛を付した軟質の長尺基材を被せて被覆するので、手道具の種類（レーキ・鋤簾等）又は材質に関係なく後から容易に装着でき、また、目盛を付すための加工費も安価で済む。
【００１８】
また、本願発明の長尺被覆具は、手道具の柄部分の外径よりも僅かに大きい内径の下端部開口部を有する長尺基材で構成しているので装着（特に、手道具の柄部分への固着）が容易である。
【００１９】
また、本願発明の長尺被覆具は、熱収縮特性を備えた長尺基材（例えば、ポリ塩化ビニル）を採択しているので装着（特に、手道具の柄部分への固着）が容易である。
【００２０】
また、本願発明の長尺被覆具は、外側から内側へ水を通過させず、かつ、内側から外側へも水を通過させない長尺基材で手道具の柄部分のほぼ全てを被覆するので、当該手道具の柄部分の水による劣化を防止（外側から内側への雨雪遮断効果、及び、手道具の柄部分が木製の場合には内側から外側への水分蒸発抑制効果による）できる。その結果、当該手道具の柄部分の寿命を延ばすことができる。また、柄部分の強度も増す。
【００２１】
また、本願発明の長尺被覆具は、太陽光の透過を防止又は遮断する長尺基材で手道具の柄部分のほぼ全てを被覆するので、当該手道具の柄部分の太陽光による劣化を防止できる。その結果、当該手道具の柄部分の寿命を延ばすことができる。また、柄部分の強度も増す。
【００２２】
また、本願発明の長尺被覆具は、仮固定手段を付加しているので、手道具の柄部分への固着がさらに容易である。
【図面の簡単な説明】
【００２３】
【図１】図１は、実施例１の長尺被覆具の斜視図である。
【図２】図２は、実施例１の長尺被覆具をレーキ（手道具）の柄部分に被せた状態の斜視図である。
【図３】図３は、実施例１の長尺被覆具をレーキ（手道具）の柄部分に装着中（ドライヤー使用）の斜視図である。
【図４】図４は、実施例１の長尺被覆具をレーキ（手道具）の柄部分に装着後（ドライヤー使用）の斜視図である。
【図５】図５は、実施例１の長尺被覆具の正面図である。
【図６】図６は、実施例１の長尺被覆具の背面図である。
【図７】図７は、実施例１の長尺被覆具の右（左）側面図である。
【図８】図８は、実施例１の長尺被覆具の平面図である。
【図９】図９は、実施例１の長尺被覆具の底面図である。
【図１０】図１０は、実施例２の長尺被覆具の斜視図である。
【発明を実施するための形態】
【００２４】
レーキの柄部分に長尺被覆具を被せた後に、ドライヤーの熱風で熱収縮させてレーキの柄部分に装着した長尺被覆具を物差しとして使用する。
【実施例１】
【００２５】
まずは、実施例１の長尺被覆具の構成について、図１に従い説明する。
【００２６】
長尺被覆具（１）は、下端部に下端開口部（１１）を、上端部に上端開口部（１２）を有し、長手方向の一方の折り目部分に沿って目盛（１３）を付した正面視長方形状の長尺基材（１０）からなり、手道具の柄部分に固着するための固着手段（２０）を備える。
【００２７】
前記長尺基材（１０）の側部には開口部を有さない。つまり、下端部及び上端部のみに開口部を有する長尺基材である。
【００２８】
前記長尺基材（１０）の性質について、前記手道具の柄部分へ後から装着することを容易にするために軟質である必要がある。
【００２９】
前記長尺基材（１０）の水の通過に関する特性について、前記手道具の柄部分の水による劣化を防止する観点から、外側から内側へ水を通過させず、かつ、内側から外側へも水を通過させない特性を有していることが好ましい。
【００３０】
前記長尺基材（１０）の太陽光の透過の防止に関する特性について、前記手道具の柄部分の太陽光の透過による劣化を防止する観点から、出来るだけ太陽光の透過を防止又は遮断する特性を有していることが好ましい。
【００３１】
また、太陽光の透過を防止又は遮断するために、例えば、全面が不透明である長尺基材（１０）にすることも有効である。また、全面を不透明にすることにより、前記目盛（１３）を見やすくする効果も生じ得る。
【００３２】
なお、前記長尺基材（１０）は、表面等が損傷した場合であっても市販のカッターナイフ等で容易に取り外すことも可能である。
【００３３】
前記下端開口部（１１）の内径（Ｌ１）について、前記手道具の円筒形状の柄部分の外径よりも僅かに大きい内径を有する。ここで手道具の柄部分よりも僅かに大きい内径とは当該手道具の柄部分の外径よりも１ｍｍから５ｍｍ程度の長さを想定する。好ましくは３ｍｍから５ｍｍ程度の長さである。なぜならば、前記手道具の柄部分に被せた後にドライヤー等で熱収縮させて固定するので長いほど収縮に伴い目盛が大きく縮んでしまうからである。また、熱収縮に時間がかかることを防止するためでもある。
【００３４】
前記上端開口部（１２）の内径（Ｌ２）について、前記下端開口部（１１）の内径（Ｌ１）と同様の理由から同一であることが好ましい。また、生産コスト及び生産の容易性の観点からも前記下端開口部（１１）の内径（Ｌ１）と同一であることが好ましい。
【００３５】
前記長尺基材の長手方向の長さ（Ｌ３）について、前記手道具の柄部分に被せ、装着できれば良いが、装着の容易性を考慮すると当該手道具の柄部分の全長を超えない長さが好ましい。当該手道具の柄部分の劣化防止効果及び物差しとしての利用性も併せて考慮すると、当該手道具の柄部分の全長と同程度の長さが好ましいものと考える。
【００３６】
前記目盛（１３）について、２ｃｍ毎に短い水平線で、１０ｃｍ毎に長い水平線であらわしているが、位置・高さ・長さ等の確認又は測定ができればいかなるあらわし方であっても良い（単位にも限定はない）。また、前記長尺基材（１０）の長手方向の一方の折り目部分に沿って目盛（１３）を付しているが、他方の折り目部分に沿って目盛を付しても良いし、両方の折り目部分に沿って目盛を付しても良い。
【００３７】
前記長尺基材の前記目盛（１３）を付していない部分に、安全第一などの標語やメッセージを付し、又は、持ち主等を記入する欄を付しても良い。
【００３８】
前記固着手段（２０）として、前記長尺基材（１０）が備える熱収縮特性を利用している。当該熱収縮特性とは、一定の温度以上で、所定の時間加熱することにより、前記長尺基材（１０）が縮み、かつ、その後一定温度以下になると前記長尺基材（１０）が縮んだ状態を維持する特性のことである。当該熱収縮特性を有するものとして、例えば、ポリ塩化ビニルが該当する。実施例１で採択している前記長尺基材（１０）は、当該熱収縮特性を有し、かつ、水の通過を防止する特性も有している、全面が不透明のポリ塩化ビニルである。
【００３９】
次に、実施例１の長尺被覆具を手道具の柄部分へ装着する場合の動作について、図２から図４に従い説明する。
【００４０】
あらかじめ手道具（Ａ）の柄部分に基準位置マーク（Ｍ）を付けておく。
【００４１】
前記手道具（Ａ）の柄部分に長尺基材（１０）を被せ、前記基準位置マーク（Ｍ）と前記長尺基材の下端開口部（１１）とを合わせる（図２の状態）。
【００４２】
前記長尺基材（１０）を前記手道具（Ａ）の柄部分に仮固定し、前記下端開口部（１１）側から上端開口部（１２）側に向けてドライヤー（Ｂ）の熱風をあてながら熱収縮させて前記長尺基材（１０）を前記手道具（Ａ）の柄部分に固着（密着）させていく（図３の状態）。
【００４３】
なお、前記ドライヤー（Ｂ）に代えて湯を利用する（湯の中につける又は湯をかける）ことも可能である。
【００４４】
前記長尺基材（１０）の上端開口部（１２）まで固着が終われば、装着完了である（図４の状態）。
【実施例２】
【００４５】
実施例２は、手道具の柄部分への仮固定手段を付加等した長尺被覆具である。まずは、その構成について、図１０に従い実施例１と異なる部分のみについて説明する。
【００４６】
長尺被覆具（１）は、下端部に下端開口部（１１）を、上端部に上端開口部（１２）を有し、長手方向の折り目と折り目との間の中央部にのみ目盛（１３）を付した正面視長方形状の長尺基材（１０）からなり、手道具の柄部分に固着するための固着手段（２０）及び前記手道具の柄部分への仮固定手段（３０）を備える。
【００４７】
前記目盛（１３）について、５ｃｍ毎に短い水平線で、１０ｃｍ毎に長い水平線であらわしているが、位置・高さ・長さ等が確認又は測定ができればいかなるあらわし方であっても良い（単位にも限定はない）。また、前記長尺基材（１０）の長手方向の折り目と折り目との間の中央部にのみ目盛（１３）を付しているが、折り目部分に沿って目盛を追加しても良い。
【００４８】
前記仮固定手段（３０）として、長方形状の片面透明粘着テープ（３１）で設計しているが、前記手道具（Ａ）の柄部分と前記長尺基材（１０）とを仮固定できるものであれば良く、例えば、接着剤（木製等の柄部分用）や磁石（金属製の柄部分用）であっても良い。
【００４９】
その他の構成については、実施例１と同様であるので省略する。
【００５０】
実施例２の長尺被覆具を手道具の柄部分に装着する場合の動作についても実施例１と略同様であるので省略する。
【産業上の利用可能性】
【００５１】
本願発明の長尺被覆具は、土工事（土木・建築・造園・設備等）等の作業現場において位置・高さなどを確認又は計測する作業時の作業効率を飛躍的に向上させるものであるので、産業上の利用性を有する。
【符号の説明】
【００５２】
１        長尺被覆具
１０      長尺基材
１１      下端開口部
１２      上端開口部
１３      目盛
２０      固着手段
３０      仮固定手段
３１      粘着テープ
Ａ        レーキ（手道具）
Ｂ        ドライヤー
Ｌ１      下端開口部の内径
Ｌ２      上端開口部の内径
Ｌ３      長尺基材の長手方向の長さ
Ｍ        手道具の柄部分に付ける基準位置マーク
【図１】
2014070448.tif 000003
【図２】
2014070448.tif 000004
【図３】
2014070448.tif 000005
【図４】
2014070448.tif 000006
【図５】
2014070448.tif 000007
【図６】
2014070448.tif 000008
【図７】
2014070448.tif 000009
【図８】
2014070448.tif 000010
【図９】
2014070448.tif 000011
【図１０】
2014070448.tif 000012